(57)【要約】【課題】蓋に設けた蓋フックをジャー本体に係合させることにより蓋をロックするようにした蓋フック構造において、蓋フックの強度を高めることにより圧力炊飯に耐えられるようにすることである。【解決手段】蓋フックのフック部９を、下方に延びた板状のフック基部１１と、そのフック基部１１の下端部の爪部１２、１２とにより形成し、該爪部１２、１２をフック基部１１の両側に左右に突き出して形成した突起を内側に屈曲してフック基部１１に対し起立させた構成とした。【選択図】　図４
2004065560.tif 000002
【特許請求の範囲】
【請求項１】
蓋フックを取付け軸により揺動自在に蓋に取付け、上記蓋フックのフック部を炊飯器本体のフック受け部に所要の付勢力をもって係合して蓋をロックし、該蓋に設けたロック解除ボタンの操作により上記フック部の係合を外して蓋のロックを解除するようにした炊飯器の蓋フック構造において、上記フック部を上記取付け軸から下方に延びた板状フック基部と、そのフック基部の下端部の爪部とにより形成し、該爪部をフック基部の両側に左右に突き出して形成した突起を内側に屈曲してフック基部に対し起立させたことを特徴とする炊飯器の蓋フック構造。
【請求項２】
上記のフック基部の幅方向中央部に上下方向の補強リブを、該フック基部の材料を屈曲して形成したことを特徴とする請求項２に記載の炊飯器の蓋フック構造。
【請求項３】
上記フック爪部の下端辺に、先端の方向に高くなるテーパー部を設けたことを特徴とする請求項１又は２に記載の炊飯器の蓋フック構造。
【発明の詳細な説明】
【０００１】
【発明の属する技術分野】
この発明は、炊飯器（炊飯ジャーを含む）の蓋フック構造に関するものである。
【０００２】
【従来の技術】
炊飯器本体に開閉自在に取付けた蓋を該炊飯器本体にロックさせるために、従来から、蓋フックを取付け軸により揺動自在に蓋に取付け、上記蓋フックのフック部を炊飯器本体のフック受け部に所要の付勢力をもって係合して蓋をロックし、該蓋に設けたロック解除ボタンの操作により上記フック部の係合を外して蓋のロックを解除する蓋フック構造が採用されている（例えば、特開平８−３２２７２０号公報参照）。上記構造のフック部の構造は、上記取付け軸から下方に延びた板状フック基部と、そのフック基部の下端部を９０度Ｌ形に屈曲して爪部を形成したものである。
【０００３】
【発明が解決しようとする課題】
圧力式炊飯器においては、炊飯時の圧力が蓋を介して前記のフック部の負荷として作用するため、従来のフック構造では、爪部の強度は材料の厚さによって決定されるので、コスト等の観点からその厚さや材質を変えることができない場合は強度が不足する懸念があった。また、Ｌ字形に屈曲形成された爪部の下面が蓋閉鎖時にフック受け部に引っ掛かる傾向があり、蓋の閉鎖がスムーズに行われ難い不都合もあった。
【０００４】
そこで、この発明は、材料や厚さを従来通りとした場合に、上記の爪部の強度を高めるとともに、蓋の閉鎖がスムーズに行えるようにした蓋フック構造を提供することを課題とする。
【０００５】
【課題を解決するための手段】
上記の課題を解決するために、この発明は、蓋フックを取付け軸により揺動自在に蓋に取付け、上記蓋フックのフック部を炊飯器本体のフック受け部に所要の付勢力をもって係合して蓋をロックし、該蓋に設けたロック解除ボタンの操作により上記フック部の係合を外して蓋のロックを解除するようにした炊飯器の蓋フック構造において、上記フック部を上記取付け軸から下方に延びた板状フック基部と、そのフック基部の下端部の爪部とにより形成し、該爪部をフック基部の両側に左右に突き出して形成した突起を内側に屈曲してフック基部に対し起立させた構成を採用した。
【０００６】
上記の構成によると、爪部の強度がその上下方向の幅で決定されるので、材料、その厚さが従来と一定であるとすると、上記の幅を十分に大きくとることにより、従来の場合より、強度を高めることができる。
【０００７】
また、上記のフック基部の幅方向中央部に上下方向の補強リブを、該フック基部の材料を屈曲して形成した構成を採用すると、フック基部の強度も高めることができる。
【０００８】
なお、上記フック爪部の下端辺に、先端の方向に高くなるテーパー部を設けた構成を採用すると、蓋の閉鎖時にフック爪部がフック受け部に引っ掛かることがないので、スムーズに蓋を閉鎖することができる。
【０００９】
【発明の実施の形態】
以下、添付図面に基づいてこの発明の実施形態を説明する。図１に示すように、実施形態の炊飯ジャーは、ジャー本体１の後部にヒンジ軸２により蓋３を開閉自在に取付けたものである。蓋３の開放端部内部に取付け軸４により蓋フック５が揺動自在に取付けられる。蓋フック５は、取付け軸４に嵌合された軸挿通部６から後方に突き出したばね受けアーム７を有すると共に、前方に突き出したロック解除アーム８を有する。また、これら各アーム７、８の両側にフック部９，９が設けられる。
【００１０】
上記の各フック部９、９は、軸挿通部６から下方に延び出した板状のフック基部１１と、その下端部に設けられた一対の爪部１２、１２とからなる。上記のフック基部１１には、図４に示すように、幅方向中心部に外面側に山状に突き出すように屈曲された補強リブ１３が設けられる。また、各爪部１２は、図４（ａ）のように、フック基部１１の下端部両側に左右方向に突き出して設けたものを、同図の矢印で示すように、内側に直角に屈曲して、フック基部１１の内面に対し直角に起立させたものである。各爪部１２の下端辺には、先端に至るに従い高くなるテーパー部１４（図４（ｂ）参照）が設けられる。上記の蓋フック５はばね１０により、蓋３のロック方向へ付勢される。
【００１１】
一方、ジャー本体１の前端部に、ロック解除ボタン１５が設けられる。このロック解除ボタン１５は、前記のロック解除アーム８の先端部が臨む窓穴１６（図３参照）の前部に設けられ、図２に示すように、軸１７により支持されるとともに、ばね１８により復帰方向に付勢される。上記ロック解除ボタン１５が操作されると、その後端部が窓穴１６内に部分的に挿入され（図２二点鎖線参照）、蓋フック５をロック解除方向に回動させる。
【００１２】
また、上記ロック解除ボタン１５の下方において、ジャー本体１には、前方から見て左右一対のフック受け部１９、１９が設けられる。各フック受け部１９は、前方に向けて開放された扁平な四角形穴の上面に金属板でなる補強板２１が重ねられる。補強板２１は、図６（ｂ）に示すように、左右のフック受け部１９に渡る左右方向の幅を有し、内側辺は、ジャー本体１の炊飯部の内周に沿った円弧をなす。上記の各フック受け部１９，１９の上部には、テーパー状の案内面２２、２２をもった案内部材２３が固定される。上記の案内面２２は、前記蓋フック５の爪部１２のテーパー部１４が押し当てられ（図５（ａ）参照）、蓋フック５が外方に若干後退され、爪部１２がフック受け部１９に嵌合される（同図（ｂ）参照）。
【００１３】
実施形態の炊飯ジャーは以上のようなものであり、蓋３を閉めたロック状態（図１参照）において、フック解除ボタン１５を押し込み操作すると、その後端部が窓穴１６内に部分的に挿入され（図２二点鎖線参照）、蓋フック５をロック解除方向に回動させる。これにより、ロック解除アーム８が押し込まれ、蓋フック５が全体に回動されるので（図２の二点鎖線参照）、爪部１２がフック受け部１９から外れ、蓋３のロックが解除される。ロックが解除されると、蓋３がヒンジばね２４の力で開放される。
【００１４】
逆に、蓋３を押下げて閉鎖すると、フック部９の爪部１２が案内面２２上に載り（図５（ａ）参照）、その案内面２２から外方への力を受ける（図５（ａ）二点鎖線参照）。そのまま下方へ押下げされると、爪部１２がフック受け部１９に係合され、蓋３をロックする。蓋３のロック状態において、炊飯の圧力が蓋３に作用したとき、その圧力は、２箇所のフック部９により支持される。
【００１５】
フック部９は、そのフック基部１１に補強リブ１３が設けられていること、また各２ヶ所の爪部１２、１２の強度がその上下方向の幅ｗ（図４（ｂ）参照）によって決定される強度をもつことにより、炊飯時の圧力を十分に支持することができる。
【００１６】
【発明の効果】
以上のように、この発明によると、蓋フックは、従来の場合と同じ材料を用い、またフック基部の幅も従来の場合と同様に設定したとしても、フック基部及び爪部が高い強度をもつので、圧力炊飯に十分に耐えることができる。また、上記の爪部の下辺にテーパー部を設けたことにより、蓋を閉鎖する際に該爪部をスムーズにフック受け部に案内することができる。
【図面の簡単な説明】
【図１】第１実施形態の断面図
【図２】同上の蓋フック部分の拡大断面図
【図３】同上の蓋の一部切欠き斜視図
【図４】（ａ）フック部の斜視図
（ｂ）フック部の側面図
（ｃ）フック部の背面図
（ｄ）フック部の横断平面図
【図５】（ａ）蓋フックのロック前の断面図
（ｂ）蓋フックのロック状態の断面図
【図６】（ａ）ジャー本体のフック受け部の平面図
（ｂ）（ａ）図の部分の一部切欠き斜視図
（ｃ）（ａ）図のｃ−ｃ線の断面図
【符号の説明】
１　ジャー本体
２　ヒンジ軸
３　蓋
４　取付け軸
５　蓋フック
６　軸挿通部
７　ばね受けアーム
８　ロック解除アーム
９　フック部
１０　ばね
１１　フック基部
１２　爪部
１３　補強リブ
１４　テーパー部
１５　ロック解除ボタン
１６　窓穴
１７　軸
１８　ばね
１９　フック受け部
２１　補強板
２２　案内面
２３　案内部材
２４　ヒンジばね
【図１】
2004065560.tif 000003
【図２】
2004065560.tif 000004
【図３】
2004065560.tif 000005
【図４】
2004065560.tif 000006
【図５】
2004065560.tif 000007
【図６】
2004065560.tif 000008